【事件の表示】
　平成１１年特許願第１０６９０５号「椅子型マッサージ機」拒絶査定に対する審判事件［平成１２年７月１８日出願公開、特開２０００−１９７６７６］について、次のとおり審決する。
【結　論】
　本件審判の請求は、成り立たない。
【理　由】
１．手続の経緯
　本願は、特許法第４１条に基づく優先権主張を伴う平成１１年４月１４日（優先日平成１０年１１月２日、出願番号：特願平１０−３１２４４６号）の出願であって、平成１２年１月２０日、平成１２年５月２日に手続補正がされ、平成１２年７月１８日付けで拒絶査定がされ、これに対し、平成１２年８月２９日に拒絶査定に対する審判請求がされるとともに平成１２年９月２６日に手続補正がされ、平成１４年７月８日付けで、平成１２年９月２６日付けの手続補正を却下するとの決定がされるとともに請求は成り立たないとする審決がされ、これに対し、平成１４年８月２６日に東京高等裁判所に訴えの提起がなされ、平成１５年２月１２日に、平成１４年７月８日にした審決を取り消す旨の判決（平成１４年（行ケ）第４４１号）が言渡され、確定したので、さらに上記審判請求について審理する。
　
２．平成１２年９月２６日付けの手続補正についての補正却下の決定
［補正却下の決定の結論］
　　平成１２年９月２６日付けの手続補正を却下する。
［理由］
（１）補正後の本願の請求項１に係る発明
　平成１２年９月２６日付け手続補正書による補正後の発明（以下、「補正発明」）という。）は、当該補正後の明細書及び図面の記載からみて、その特許請求の範囲の請求項１に記載された、以下のとおりのものである。
　
「座部（３）と背凭れ部（４）とを有し、背凭れ部（４）に背、肩、腰等をマッサージするマッサージ具（８）が設けられた椅子型マッサージ機であって、
　背凭れ部（４）のマッサージ具（８）は、マッサージ用モータ（１０）とマッサージ用モータ（１０）の回転動力によって揉み玉（９）をマッサージ動作させる伝動機構（１１）とを備え、前記背凭れ部（４）のマッサージ具（８）の伝動機構（１１）は、前方側に突出した左右一対の支持アーム（２６）を有し、前記背凭れ部（４）のマッサージ具（８）の揉み玉（９）は、左右に対をなすように、左右一対の支持アーム（２６）の端部にそれぞれ取り付けられ、前記伝動機構（１１）は、マッサージ用モータ（１０）の動力を左右一対の支持アーム（２６）に伝達して、左右に対をなす揉み玉（９）を互いに接離するように動かして揉み動作をさせるように構成され、
　前記背凭れ部（４）のマッサージ具（８）は、背凭れ部（４）を昇降するように構成され、
　前記座部（３）は水平状態よりも前上がりに傾斜するように配置され、この前上がりに傾斜した座部（３）に尻や太もも等をマッサージするマッサージ具（４５，４６）が設けられ　このマッサージ具（４５，４６）は、空気圧によって膨張収縮動作するエアセル（４７，４９）を備えかつ該エアセル（４７，４９）に空気を給排することにより尻や太もも等を、下側から押圧するように構成され、
　前記背凭れ部（４）は、垂直状態よりも後傾斜するように配置されると共に、リクライニング装置（７）により座部（３）後端部側を支点としてリクライニング可能に構成され、
　座部（３）の下方にフットレスト（５）が設けられ、フットレスト（５）に、左右の足を別々に挟持することができる溝形の足保持部（５１，５１）が設けられ、フットレスト（５）に足をマッサージするマッサージ具（５３，５８）が設けられ、
　前記フットレスト（５）のマッサージ具（５３，５８）は、空気圧によって膨張収縮動作するエアセル（５４，５９）を備えかつ該エアセル（５４，５９）に空気を給排することにより前記足保持部（５１，５１）に挟持した左右の足をマッサージするように構成されていることを特徴とする椅子型マッサージ機。」
　
（２）引用刊行物
イ．刊行物１
　これに対し、原査定の理由において引用された、本願出願前に頒布された刊行物である特開平９−１２２１９３号公報（以下、「刊行物１」という。）には、図面と共に次の事項が記載されている。
（あ）「この発明は、主として坐位における人体の背筋・脊髄まわりのマッサージ、按ま、指圧等の効果を複合的に得る目的で、圧気並びに機械的動作を組み合わせたことを特徴とする複合マッサージ機に関するものである。」（段落【０００１】）
（い）「而して、前者、即ち機械的動作によるものは、その圧迫に硬直感が強く、婦女子や高齢者には使用上の抵抗が多く、又、圧気式のものは、その収縮性と適度な面刺激によって、利用者に柔和感が得られるものの、摺擦効果の面で劣るという課題があった。」（段落【０００３】）
（う）「図１において、１は坐台１ａ及び背板１ｂを備えた椅子型基体、２は背板１ｂの中央部を後述するような摺擦機構によって上下に移動可能なロール等からなる摺擦体、また３は、上記背板１ｂの上記摺擦機構の左右に対設された複数の気嚢である。上記背板１ｂの気嚢３は、摺擦体２の軌道を挟んで左右の列に分設されるものであるが、最上段に配設された左右の気嚢３ａ・３ａは、首筋を挟圧する位置に設けられる他、最上段のものを含めて左右各列は、上下複数個の独立した気嚢３ａ・３ｂ・３ｃ・・・・から構成されていて、それぞれにコンプレッサー（図示せず）に通ずる圧気ホース４を備え、コンプレッサーから分配器等を介して各気嚢に通じ、各列に圧気の給排を可能としたものである。即ち各列の気嚢は、例えば最上段の左右の気嚢３ａ、３ａに同時に給気して膨張させた後、内部圧気を排出して収縮可能とし、次いで、次段の気嚢３ｂ、３ｂに圧気を給排して、この段の気嚢を同時に膨縮させるというように順次下段の気嚢へと移行させるものである。尚、本発明における上記気嚢３は、上述した基体１の背板１ｂ面に埋設されることに止まらず、その坐台１ａ面に複数の気嚢３’を横（水平）方向に設けることによって、同時に臀部と上肢（太もも）に揉捏などの効果を付与することもできるし、更に坐台１ａの前面１ｃに気嚢５ａを対設した揉捏機構５を二基取り付け、これらをホース４を介して前記のコンプレッサーに接続して下肢背側（ふくらはぎ）の揉みほぐしを行うことも自由である。」（段落【０００８】〜【００１１】）
（え）「一方、機筺６の両側内折縁６ａの下方には、上記軸端ローラー２ｃを転動自在に案内するレール板６ｃが設けられており、該レール板６ｃの適宜な箇所に山形部６ｄを隆成し、レール板６ｃ上を転動する軸端ローラー２ｃを介して軸２ａ及び摺擦体２を一定高さ突入可能としたものである。但し、この場合、上記山形部６ｄの直上に位置する内折縁６ａには、軸端ローラー２ｃの突出口６ｅを形成しておく必要がある。」（段落【００１６】）
（お）「本発明は、このような構成を採用することにより、坐位における利用者の脊髄を挟んで、上下に転動する摺擦体によってマッサージ効果を与え、背骨まわりの血行を促進させる機能を発揮するだけでなく、該摺擦体が一定量突出可能としたことで上記機能に加えて按捏効果、すなわち指圧の心地よさを齎らし得るものである。一方、上記摺擦体を挟んで左右に気嚢を縦設したことにより、上下に独立して配設された各気嚢が、同列同時に行われる圧気の給排を受けて順次膨張・収縮を繰り返す間にその広い面による按捏効果を発揮し、快適に背筋を揉みほぐして、上述した摺擦体による軽擦又は按捏機能と相俟って、背中全面の筋肉疲労を回復させる上で格別の効果を奏するのである。尚、この場合、気嚢の膨縮動作を摺擦体の走行速度（位置）と同期させることにより、摺擦体の肌への当接力を強弱任意に調整する機能が得られるのである。更に、坐台または／および坐台前面に気嚢を対設してなる揉捏機構を併用したものは、臀部や上・下肢背側を同時に揉みほぐす全身マッサージ乃至は全身按ま効果が得られるのである。」（段落【００１８】〜【００２０】）
　また、第１図の記載からみて、「坐台１ａの前面１ｃに」「二基取り付け」られた「揉捏機構５」には、左右の足を別々に挟持することができる溝形の足保持部が設けられているものと認められる。
　
　したがって、これらの記載事項及び図面の図示内容によれば、上記刊行物１には、「坐台１ａ及び背板１ｂとを有し、背板１ｂに、中央部に摺擦機構によって上下に移動可能な摺擦体２、及び摺擦機構の左右に対設された複数の気嚢３が設けられた複合マッサージ機であって、背板１ｂの複数の気嚢３は上下独立して設け（３ａ，３ｂ，３ｃ）、順次下段の気嚢に対して圧気を給排することで収縮動作を行い、背筋を揉みほぐすように構成され、摺擦体２は軽擦又は按捏機能を有するとともに不使用時には摺擦体２の突出を防止し、坐台１ａ面に、収縮動作を行う複数の気嚢３’を設け臀部と上肢に下側から按捏効果をもたらすように構成され、坐台１ａの前面に、左右の足を別々に挟持することができる溝形の足保持部が設けられた揉捏機構５を設け、さらに収縮動作を行う気嚢５ａを対設することによって、下肢背側の揉みほぐしを行うように構成された、複合マッサージ機」の発明（以下、「引用発明１」という。）が記載されているものと認められる。
　
ロ．刊行物２
　同様に引用された、本願出願前に頒布された刊行物である特開平６-２４５９６８号公報（以下、「刊行物２」という。）には、図面と共に次の事項が記載されている。
（あ）「本発明は、使用者の背中が当てられる椅子やベッド等における背当て部に組込まれ、一対のマッサージローラの動作により使用者の背中等を叩いたり揉んだりしてマッサージするマッサージ機に関する。」（段落【０００１】）
（い）「本発明は、揉み運動と叩き運動とができる一対のマッサージローラと・・・正逆回転可能なモータを有するとともに、このモータの正逆回転により前記マッサージローラに揉み運動と叩き運動の動作を選択的に付与する駆動ユニットとを備えるマッサージ機に適用される。」（段落【００１０】）
（う）「機枠２１内にはその幅方向略中央部に位置して駆動ユニット３１が配置されている。このユニット３１は、ギアボックスをなすハウジング３２と、このハウジング３２の外面に連結された正逆回転可能な第１モータ３３とを備えている。ハウジング３２は横架材２４，２５の中央部内面に当接支持されているとともに、横架材２７にボルト止めされている。図７等に示されるように第１モータ３３の回転軸３３ａは、その外周部には全周にわたる歯を有して歯車状に形成されているとともに、ハウジング３２内に挿入されている。
ハウジング３２には駆動装置３４が内蔵されている。駆動装置３４の構成は図７および図８等に示されている。これらの図中４１は左右方向に延びて、その両端部を軸受４２で回転自在に支持された入力軸で、この外周に嵌合して一体に回転されるように固定された入力歯車４３は、第１モータ３３の回転軸３３ａに噛み合わされている。入力軸４１の外周には、第１の一方向クラッチ４４を介して揉み系伝動歯車４５と、第２の一方向クラッチ４６を介して叩き系伝動歯車４７が夫々取付けられている。」（段落【００１３】及び【００１４】）
（え）「図７に示されるようにハウジング３２内には入力軸４１と平行に横架される支持軸４８がナット４９で止められている。この軸４８に回転自在に支持された第１減速歯車５０の大径歯車部５０ａは、揉み系伝動歯車４５に噛み合わされている。さらに、ハウジング３２には揉み系出力歯車としての第２減速歯車５１が内蔵され、この歯車５１は第１減速歯車５０の小径歯車部５０ｂに噛み合わされている。
ハウジング３２には、左右方向に延びてハウジング３２の両側面から突出される揉みマッサージ軸５２が、一対の軸受５３により回転自在に支持されている。この軸５２の軸方向中央部は、第２減速歯車５１のボス部５１ａを貫通して、このボス部５１ａの内周面にスプライン係合されている。」（段落【００１６】及び【００１７】）
（お）「揉みマッサージ軸５２の前記両側部分には夫々可動スリーブ６５が取付けられている。これら一対のスリーブ６５は前記両側部分に対し揉みマッサージ軸５２の軸方向に摺動可能に嵌合されている。可動スリーブ６５は図７に示されるように偏心カム部６５ａと連結部６５ｂとを有している。偏心カム部６５ａは、可動スリーブ６５の軸線に対して偏心しかつ傾斜した軸線を持つ短軸状の部分である。両可動スリーブ６５の偏心カム部６５ａの軸線の傾斜は互いに逆になっている。連結部６５ｂは可動スリーブ６５の軸線と同心的に設けられている。偏心カム部６５ａの外周面には軸受６６を介してハブ６７が取付けられている。したがって、一対のハブ６７は揉みマッサージ軸５２の前記両側部分に、この軸５２に対して互いに反対方向に傾斜して支持されている。図１、図２、および図９に示されるようにハブ６７にはアーム６８が連結され、このアーム６８の先端部にはマッサージローラ６９が回転自在に取付けられている。」（段落【００２３】〜【００２５】）
（か）「前記第１モータ３３の回転軸３３ａが逆転されて揉みマッサージ軸５２が低速度で適正に回転された場合には、この軸５２と一緒にキー６２を介して一対の可動スリーブ６５が回転される。そのため、偏心カム部６５ａが、その軸線の傾斜に応じ揉みマッサージ軸５２の軸線を支点として揺動するように見掛け上変位する。ところで、偏心カム部６５ａに軸受６６を介して嵌合されているハブ６７は、連結棒７４を介して継手７３に連結されて、回転を拘束されている。したがって、このハブ６７は偏心カム部６５ａの前記見掛け上の変位に同期して、揉みマッサージ軸５２の軸線を支点とする揺動運動を行う。このとき、ハブ６７と連結棒７４との自在継手状の連結部では滑りを生じるとともに、連結棒７４は継手７３に対してピン７５の軸回りに回動されて、前記揺動運動を可能にしている。このようにして動作される一対のハブ６７の揺動運動に伴いアーム６８が同様に揺動されるから、一対のマッサージローラ６９が同期して互いに接離される方向に動かされ、それによって、マッサージローラ６９が揉み運動をする。」（段落【００３２】〜【００３５】）
（き）「図１４に示されるようにマッサージ機Ｍが組み込まれる椅子の背当て部（背凭れ）Ｂの背面には、その幅方向両側に背当て部Ｂの長手方向に延びるレールＣが設けられている。マッサージ機Ｍは、そのローラ１１６，１２０を左右一対のレールＣに夫々転接させて、背当て部Ｂの形状に合わせてその長手方向に直線的または非直線的に移動されるように設けられる。」（段落【００５４】）
（く）　また、第１、２、６及び９図の記載からみて、アーム６８は、前方側に突出するものと認められる。
　
　したがって、これらの記載事項及び図面の図示内容によれば、上記刊行物２には、「椅子における背当て部（背凭れ）Ｂに組込まれ、一対のマッサージローラ６９の動作により使用者の背中等を叩いたり揉んだりしてマッサージするマッサージ機であって、第１モータ３３と、第１モータ３３の回転軸３３ａの逆転によってマッサージローラ６９を揉み運動させる、第１モータ３３とともにモータ駆動装置３４と第１減速歯車５０と第２減速歯車５１等を備える駆動ユニット３１、揉みマッサージ軸５２、可動スリーブ６５、ハブ６７及びアーム６８等を備え、前記アーム６８は、前方側に突出し左右一対のものであり、マッサージローラ６９は、左右に対をなすように、アーム６８の先端部にそれぞれ取り付けられ、第１モータ３３の回転軸３３ａの逆転を、駆動ユニット３１、揉みマッサージ軸５２、可動スリーブ６５、ハブ６７を介してアーム６８に伝達して、一対のマッサージローラ６９を互いに接離される方向に動かし、それによって、マッサージローラ６９が揉み運動をさせるように構成され、背当て部（背凭れ）Ｂのマッサージ機は、背当て部Ｂの長手方向に移動されるマッサージ機」の発明（以下、「引用発明２」という。）が記載されているものと認められる。
　
（３）対比・判断
　ところで、上記判決は先の審決における補正発明と引用発明の一致点及び相違点の対比判断につき誤りがあると判示している。
　そこで、改めて、補正発明と、上記引用発明１とを対比すると、引用発明１の「坐台１ａ」は補正発明の「座部」に相当する。以下、「背板１ｂ」は「背凭れ部」に、「気嚢」は「エアセル」に、「複合マッサージ機」は「椅子型マッサージ機」に、「按捏」は「マッサージ」に、「圧気」は「空気圧」に、「背筋」は「背」に、「臀部と上肢」は「尻や太もも」に、「下肢背側」は「左右の足」に、それぞれ相当する。さらに、引用発明１に設けられた「気嚢３」および「摺擦体２」はいずれも按捏機能をもち、「マッサージ具」と言うことができるから、引用発明１において、背板に設けられた「気嚢３」又は「摺擦体２」は、「背等をマッサージするマッサージ具」に相当する。
　したがって、両者は、「座部と背凭れ部とを有し、背凭れ部に背等をマッサージするマッサージ具が設けられた椅子型マッサージ機であって、
　座部に、尻や太もも等をマッサージするマッサージ具が設けられ、このマッサージ具は、空気圧によって収縮動作するエアセルを備えかつ該エアセルに空気を給排することにより尻や太もも等を、下側から押圧するように構成され、
　座部の下方にフットレストが設けられ、フットレストに、左右の足を別々に挟持することができる溝形の足保持部が設けられ、フットレストに足をマッサージするマッサージ具が設けられ、
　前記フットレストのマッサージ具は、空気圧によって収縮動作するエアセルを備えかつ該エアセルに空気を給排することにより前記足保持部に挟持した左右の足をマッサージするように構成されている椅子型マッサージ機。」である点で一致し、次の点で相違する。
　
（イ）補正発明の背凭れ部のマッサージ具は、「マッサージ用モータとマッサージ用モータの回転動力によって揉み玉をマッサージ動作させる伝動機構とを備え、前記背凭れ部のマッサージ具の伝動機構は、前方側に突出した左右一対の支持アームを有し、前記背凭れ部のマッサージ具の揉み玉は、左右に対をなすように、左右一対の支持アームの端部にそれぞれ取り付けられ、前記伝動機構は、マッサージ用モータの動力を左右一対の支持アームに伝達して、左右に対をなす揉み玉を互いに接離するように動かして揉み動作をさせるように構成され、
　前記背凭れ部のマッサージ具は、背凭れ部を昇降するように構成され」ているのに対し、引用発明１では、背凭れ部の中央部に摺擦機構によって上下に移動可能な摺擦体及び摺擦機構の左右に対設された複数のエアセルで構成されている点。
（ロ）補正発明の座部は、「座部（３）は水平状態よりも前上がりに傾斜するように配置され」ているのに対し、引用発明１ではかかる構成を備えていない点。
（ハ）補正発明の背凭れ部は、「垂直状態よりも後傾斜するように配置されると共に、リクライニング装置により座部後端部側を支点としてリクライニング可能に構成され」ているのに対し、引用発明１ではかかる構成を備えていない点。
　
　上記相違点（イ）について検討する。
　補正発明の相違点（イ）に係る背凭れ部のマッサージ具は、マッサージ椅子の背凭れ部におけるマッサージ具として出願前周知のものにすぎない。例えば、引用発明２における、「マッサージローラ６９」、「第１モータ３３」、「アーム６８」、「背当て部（背凭れ）Ｂ」、「モータ駆動装置３４と第１減速歯車５０と第２減速歯車５１等を備える駆動ユニット３１、揉みマッサージ軸５２、可動スリーブ６５、ハブ６７及びアーム６８等」、「背当て部Ｂの長手方向に移動される」、「マッサージ機」は、機能・構造からみて、それぞれ、補正発明の「揉み玉」、「マッサージ用モータ」、「支持アーム」、「背凭れ部」、「伝動機構」、「背凭れ部を昇降するように構成され」、「マッサージ具」に相当するから、引用発明２は上記相違点（イ）に係る構成を実質的に具備している。
　そして、上記周知の背凭れ部のマッサージ具を採用することに、当業者が格別の創意を要するとは言えない。
　よって、引用発明１の椅子型マッサージ機において、背凭れ部のマッサージ具として、引用発明２のような周知のマッサージ具を採用して、相違点（イ）に係る構成とすることは、当業者が容易になし得たことであると認められる。
　
　上記相違点（ロ）及び（ハ）については、本願出願前周知の技術であり（前者については、例えば、特開平８−３３６５６５号公報には、背凭れ部３及び座部２にマッサージ用の空気袋１４，２２，２３，２４，２５を有する椅子式エアーマッサージ機において、座部３は水平状態よりも前上がりに傾斜するように配置すること、特開昭６３−１３５１７０号公報には、座部１０及び背部１２に設けた突出部１４上にそれぞれ長形空気袋体１６を配置した空気マッサージ椅子において、座部１０は水平状態よりも前上がりに傾斜するように配置することが示されている。後者については、例えば、特開平８−３３６５６４号公報には、背凭れ部３及び座部２にマッサージ用の空気袋１４，２２，２３，２４，２５を有する椅子式エアーマッサージ機において、背凭れ部３は垂直状態よりも後傾斜するように配置されると共に、リクライニング装置により座部後端部側を支点としてリクライニング可能に構成すること、特開昭６１−２８０８６２号公報には、座部１０及び背部１２に設けた長形空気袋体１４を配置した空気マッサージ椅子において、背部１２は垂直状態よりも後傾斜するように配置されると共に、リクライニング装置により座部後端部側を支点としてリクライニング可能に構成することが示されている。）、引用発明１の椅子型マッサージ機にこれら周知技術を採用する点に、格別の困難性を見いだすことはできない。
　
　また、補正発明によってもたらされる効果も、引用発明１及び２並びに周知の技術から当業者であれば予測することができる程度のものであって、格別のものとはいえない。
　
　以上によれば、補正発明は、引用発明１及び２並びに周知の技術に基づいて、当業者が容易に発明をすることができたものと認められる。
　
（４）むすび
　したがって、補正発明は、特許法第２９条第２項の規定により、特許出願の際に独立して特許を受けることができないものであるから、この補正は同法第１７条の２第５項で準用する同法第１２６条第４項に違反するものであり、同法第１５９条第１項で読み替えて準用する同法第５３条第１項の規定により却下されるべきものである。
　
３．本願発明について
　平成１２年９月２６日付けの手続補正は上記のとおり却下されたので、本願の請求項１に係る発明（以下、「本願発明」という。）は、平成１２年１月２０日、平成１２年５月２日付けの手続補正書により補正された明細書及び図面の記載からみて、その特許請求の範囲の請求項１に記載された次のとおりのものである。
　
「座部（３）と背凭れ部（４）とを有し、背凭れ部（４）に背、肩、腰等をマッサージするマッサージ具（８）が設けられた椅子型マッサージ機であって、
　背凭れ部（４）のマッサージ具（８）は、マッサージ用モータ（１０）とマッサージ用モータ（１０）の回転動力によって揉み玉（９）をマッサージ動作させる伝動機構（１１）とを備え、前記背凭れ部（４）のマッサージ具（８）の伝動機構（１１）は、前方側に突出した左右一対の支持アーム（２６）を有し、前記背凭れ部（４）のマッサージ具（８）の揉み玉（９）は、左右に対をなすように、左右一対の支持アーム（２６）の端部にそれぞれ取り付けられ、前記伝動機構（１１）は、マッサージ用モータ（１０）の動力を左右一対の支持アーム（２６）に伝達して、左右に対をなす揉み玉（９）を互いに接離するように動かして揉み動作をさせるように構成され、
　前記座部（３）は水平状態よりも前上がりに傾斜するように配置され、この前上がりに傾斜した座部（３）に尻や太もも等をマッサージするマッサージ具（４５，４６）が設けられ　このマッサージ具（４５，４６）は、空気圧によって膨張収縮動作するエアセル（４７，４９）を備えかつ該エアセル（４７，４９）に空気を給排することにより尻や太もも等を、下側から押圧するように構成され、
　前記背凭れ部（４）は、垂直状態よりも後傾斜するように配置されると共に、リクライニング装置（７）により座部（３）後端部側を支点としてリクライニング可能に構成されていることを特徴とする椅子型マッサージ機。」
　
（１）引用刊行物
　原査定の拒絶の理由において引用された刊行物、および、その記載事項は、前記「２．（２）」に記載したとおりである。
　
（２）対比・判断
　本願発明は、前記「２．」で検討した補正発明から「背凭れ部（４）のマッサージ具（８）」の限定事項である「前記背凭れ部（４）のマッサージ具（８）は、背凭れ部（４）を昇降するように構成され」との構成を省き、さらに
「座部（３）の下方にフットレスト（５）が設けられ、フットレスト（５）に、左右の足を別々に挟持することができる溝形の足保持部（５１，５１）が設けられ、フットレスト（５）に足をマッサージするマッサージ具（５３，５８）が設けられ、
　前記フットレスト（５）のマッサージ具（５３，５８）は、空気圧によって膨張収縮動作するエアセル（５４，５９）を備えかつ該エアセル（５４，５９）に空気を給排することにより前記足保持部（５１，５１）に挟持した左右の足をマッサージするように構成されていること」との構成を省いたものである。
　そうすると、本願発明の構成要件を全て含み、さらに他の構成要件を付加したものに相当する補正発明が、前記「２．（３）」に記載したとおり、引用発明１及び２並びに周知の技術に基づいて、当業者が容易に発明をすることができたものであるから、本願発明も、引用発明１及び２並びに周知の技術に基づいて、当業者が容易に発明をすることができたものである。
　
（３）むすび
　以上のとおり、本願発明は、引用発明１及び２並びに周知の技術に基づいて、当業者が容易に発明をすることができたものであるから、特許法第２９条第２項の規定により特許を受けることができない。
　
　したがって、本願は、他の請求項に係る発明について検討するまでもなく、拒絶されるべきものである。
　
　よって、結論のとおり審決する。